(57)【要約】【課題】  会議室予約に連動してより省エネ化を図ることが可能な空調制御システムおよび空調制御方法を提供する。【解決手段】  空調制御システム１は、予約利用室予約システムと、空調システムと、制御部３とを備えている。予約利用室予約システムは、予約利用室を予約する。予約利用室は、予約によって利用可能である。空調システムは、居室用空調機５１、５２を有する。居室用空調機５１、５２は、居室に設置されている。居室は、予約利用室を利用する利用者が通常居る。制御部３は、空調システムと予約利用室予約システムとを連動させる。また、制御部は、予約利用室の利用時間において、居室用空調機５１、５２の能力または運転を抑制する制御を行う。【選択図】      図１
2006349291.tif 000002
【特許請求の範囲】
【請求項１】
予約によって利用可能な予約利用室（ＭＴ）を予約する予約利用室予約システムと、
前記予約利用室（ＭＴ）を利用する利用者が通常居る居室（ＯＦ）に設置された居室用空調機（５１、５２）を有する空調システムと、
前記空調システムと前記予約利用室予約システムとを連動させ、前記予約利用室（ＭＴ）の利用時間において、前記居室用空調機（５１、５２）の能力または運転を抑制する制御を行う制御部（３）と
を備えている空調制御システム（１）。
【請求項２】
前記予約利用室（ＭＴ）の予約スケジュールに関する予約スケジュール情報および前記利用者の特性に関する個人特性情報に基づいて、前記居室用空調機（５１、５２）を制御するための第１制御値を設定する制御値設定部（１５）をさらに備えている、
請求項１に記載の空調制御システム（１）。
【請求項３】
前記予約利用室（ＭＴ）に設置された予約利用室用空調機（５３）をさらに備え、
前記制御値設定部（１５）は、前記予約スケジュール情報および前記個人特性情報に基づいて、前記予約利用室用空調機（５３）を制御するための第２制御値をさらに設定する、
請求項２に記載の空調制御システム（１）。
【請求項４】
前記予約利用室（ＭＴ）の予約に関する予約利用室予約情報を入力する入力装置（６）をさらに備えている、
請求項２または３に記載の空調制御システム（１）。
【請求項５】
前記予約利用室予約情報から前記予約スケジュール情報を設定する予約スケジュール情報設定部（１１）をさらに備えている、
請求項４に記載の空調制御システム（１）。
【請求項６】
前記予約スケジュール情報は、前記予約利用室（ＭＴ）の名称、前記予約利用室（ＭＴ）の識別コード、前記利用者の氏名、前記利用者の識別コード、前記予約利用室（ＭＴ）の利用人数、前記予約利用室（ＭＴ）の利用時間帯、および前記予約利用室（ＭＴ）における前記利用者の座席位置のうちの少なくとも１つを含む、
請求項２から５のいずれかに記載の空調制御システム（１）。
【請求項７】
前記予約スケジュール情報を記憶する予約スケジュール情報データベース（１２）をさらに備えている、
請求項２から６のいずれかに記載の空調制御システム（１）。
【請求項８】
前記個人特性情報を記憶する個人特性情報データベース（１４）をさらに備えている、
請求項２から７のいずれかに記載の空調制御システム（１）。
【請求項９】
前記個人特性情報は、前記利用者の温調嗜好、前記利用者の年齢、前記利用者の性別、および前記居室（ＯＦ）における前記利用者の座席位置のうちの少なくとも１つを含む、
請求項２から８のいずれかに記載の空調制御システム（１）。
【請求項１０】
前記制御部（３）は、前記予約利用室（ＭＴ）の利用開始時間よりも早い時間から前記居室用空調機（５１、５２）の能力または運転を抑制する制御を行う、
請求項１に記載の空調制御システム（１）。
【請求項１１】
前記制御部（３）は、前記予約利用室（ＭＴ）の利用終了時間よりも早い時間から前記居室用空調機（５１、５２）の能力または運転の度合いを向上する制御を行う、
請求項１に記載の空調制御システム（１）。
【請求項１２】
前記制御部（３）は、前記予約利用室（ＭＴ）の利用開始時間よりも早い時間から前記予約利用室用空調機（５３）の能力または運転の度合いを向上する制御を行う、
請求項３に記載の空調制御システム（１）。
【請求項１３】
前記制御部（３）は、前記予約利用室（ＭＴ）の利用終了時間よりも早い時間から前記予約利用室用空調機（５３）の能力または運転を抑制する制御を行う、
請求項３に記載の空調制御システム（１）。
【請求項１４】
前記予約利用室（ＭＴ）の内部における人の存在を検知する人感センサ（５）をさらに備えており、
前記予約利用室（ＭＴ）の利用時間中に前記人感センサ（５）が前記予約利用室（ＭＴ）の内部の人が居なくなったことを検知したときに、前記制御部（３）は、前記居室用空調機（５１、５２）の能力または運転の度合いを向上する制御を行う、
請求項１に記載の空調制御システム（１）。
【請求項１５】
前記予約利用室（ＭＴ）の内部における人の存在を検知する人感センサ（５）をさらに備えており、
前記予約利用室（ＭＴ）の利用時間中に前記人感センサ（５）が前記予約利用室（ＭＴ）の内部の人が居なくなったことを検知したときに、前記制御部（３）は、前記予約利用室用空調機（５３）の能力または運転を抑制する制御を行う、
請求項１に記載の空調制御システム（１）。
【請求項１６】
予約によって利用可能な予約利用室（ＭＴ）を予約する予約利用室予約システムと、
前記予約利用室（ＭＴ）を利用する利用者が通常居る居室（ＯＦ）に設置された居室用空調機（５１、５２）を有する空調システムと
を用いた空調制御方法であって、
前記空調システムと前記予約利用室予約システムとを連動させ、前記予約利用室（ＭＴ）の利用時間において、前記居室用空調機（５１、５２）の能力または運転を抑制する制御を行う、
ことを特徴とする空調制御方法。
【発明の詳細な説明】
【技術分野】
【０００１】
本発明は空調制御システムおよび空調制御方法に関する。
【背景技術】
【０００２】
従来より、会議室の予約に連動して空調制御を行うことが提案されている。例えば、特許文献１に記載の快適空調環境制御装置は、会議室の予約スケジュールおよび各種センサ（人感センサ、温湿度センサなど）が検出する情報を用いて、会議室におけるエアコン、エアクリーナ、エアカーテン、換気扇、および照明を総合的に制御している。
【特許文献１】特許第２９８１３１８号公報
【発明の開示】
【発明が解決しようとする課題】
【０００３】
しかし、特許文献１に記載の快適空調環境制御装置は、会議室の利用時間になったときに会議室に関する空調制御を行うが、利用者が今まで居たオフィスに関する空調制御を行うことを考慮した構成になっていない。したがって、会議室の利用時間には、利用者が居ないオフィスでは、空調機が無駄な運転をするので、省エネ化の達成が困難である。一方、利用者にとって会議室へ行く前にオフィスの空調を手動で制御することがわずらわしいという問題がある。
【０００４】
本発明の課題は、会議室予約に連動してより省エネ化を図ることが可能な空調制御システムおよび空調制御方法を提供する。
【課題を解決するための手段】
【０００５】
第１発明の空調制御システムは、予約利用室予約システムと、空調システムと、制御部とを備えている。予約利用室予約システムは、予約利用室を予約する。予約利用室は、予約によって利用可能である。空調システムは、居室用空調機を有する。居室用空調機は、居室に設置されている。居室は、予約利用室を利用する利用者が通常居る。制御部は、空調システムと予約利用室予約システムとを連動させる。また、制御部は、予約利用室の利用時間において、居室用空調機の能力または運転を抑制する制御を行う。
ここでは、制御部が、空調システムと会議室予約システムとを連動させ、予約利用室の利用時間において、居室用空調機の能力または運転を抑制する制御を行う。これにより、予約利用室の利用時間には、利用者が居ない居室では、居室用空調機が無駄な運転をすることがなくなり、より省エネ化を図ることが可能である。
【０００６】
第２発明の空調制御システムは、第１発明の空調制御システムであって、制御値設定部をさらに備えている。制御値設定部は、予約スケジュール情報および個人特性情報に基づいて、居室用空調機を制御するための第１制御値を設定する。予約スケジュール情報は、予約利用室の予約スケジュールに関する。個人特性情報は、利用者の特性に関する。
ここでは、制御部は、予約スケジュール情報および個人特性情報に基づいた第１制御値を用いて、居室用空調機を制御することが可能である。
【０００７】
第３発明の空調制御システムは、第２発明の空調制御システムであって、予約利用室用空調機をさらに備えている。予約利用室用空調機は、予約利用室に設置されている。制御値設定部は、予約スケジュール情報および個人特性情報に基づいて、予約利用室用空調機を制御するための第２制御値をさらに設定する。
ここでは、制御部は、予約スケジュール情報および個人特性情報に基づいた第２制御値を用いて、さらに予約利用室用空調機を制御することが可能である。
【０００８】
第４発明の空調制御システムは、第２発明または第３発明の空調制御システムであって、入力装置をさらに備えている。入力装置は、予約利用室予約情報を入力する。予約利用室予約情報は、予約利用室の予約に関する。
ここでは、予約利用室予約情報を入力する入力装置をさらに備えているので、利用者は、容易かつ確実に予約利用室の予約手続きを行うことが可能である。
【０００９】
第５発明の空調制御システムは、第４発明の空調制御システムであって、予約スケジュール情報設定部をさらに備えている。予約スケジュール情報設定部は、予約利用室予約情報から予約スケジュール情報を設定する。
ここでは、予約スケジュール情報設定部をさらに備えているので、予約利用室予約情報に基づいて予約スケジュール情報を設定することが可能である。
【００１０】
第６発明の空調制御システムは、第２発明から第５発明のいずれかの空調制御システムであって、予約スケジュール情報は、予約利用室の名称、予約利用室の識別コード、利用者の氏名、利用者の識別コード、予約利用室の利用人数、予約利用室の利用時間帯、および予約利用室における利用者の座席位置のうちの少なくとも１つを含む。
ここでは、予約スケジュール情報が予約利用室の利用時間帯等の情報を含むので、予約利用室の利用時間帯等の情報を用いて、居室用空調機および予約利用室用空調機を制御することが可能である。
【００１１】
第７発明の空調制御システムは、第２発明から第６発明のいずれかの空調制御システムであって、予約スケジュール情報データベースをさらに備えている。予約スケジュール情報データベースは、予約スケジュール情報を記憶する。
ここでは、予約スケジュール情報データベースをさらに備えているので、予約スケジュール情報設定部によって設定された予約スケジュール情報を管理することが可能である。
【００１２】
第８発明の空調制御システムは、第２発明から第７発明のいずれかの空調制御システムであって、個人特性情報データベースをさらに備えている。個人特性情報データベースは、個人特性情報を記憶する。
ここでは、個人特性情報データベースをさらに備えているので、個人特性情報を管理することが可能である。
【００１３】
第９発明の空調制御システムは、第２発明から第８発明のいずれかの空調制御システムであって、個人特性情報は、利用者の温調嗜好、利用者の年齢、利用者の性別、および居室における利用者の座席位置のうちの少なくとも１つを含む。
ここでは、個人特性情報が利用者の温調嗜好等の情報を含むので、利用者の温調嗜好等の情報を用いて、居室用空調機および予約利用室用空調機を制御することが可能である。
【００１４】
第１０発明の空調制御システムは、第１発明の空調制御システムであって、制御部は、予約利用室の利用開始時間よりも早い時間から居室用空調機の能力または運転を抑制する制御を行う。
ここでは、制御部は、予約利用室の利用開始前から事前に居室用空調機の能力または運転を抑制する制御をすることができ、さらに省エネ化を図ることが可能である。
【００１５】
第１１発明の空調制御システムは、第１発明の空調制御システムであって、制御部は、予約利用室の利用終了時間よりも早い時間から居室用空調機の能力または運転の度合いを向上する制御を行う。
ここでは、制御部は、予約利用室の利用終了前から事前に居室用空調機の能力または運転の度合いを向上する制御を行うので、予約利用室の利用終了直前から居室における快適な空調を提供することが可能である。
【００１６】
第１２発明の空調制御システムは、第３発明の空調制御システムであって、制御部は、予約利用室の利用開始時間よりも早い時間から予約利用室用空調機の能力または運転の度合いを向上する制御を行う。
ここでは、制御部は、予約利用室の利用開始前から事前に予約利用室用空調機の能力または運転の度合いを向上する制御を行うので、予約利用室の利用開始直前から予約利用室における快適な空調を提供することが可能である。
【００１７】
第１３発明の空調制御システムは、第３発明の空調制御システムであって、制御部は、予約利用室の利用終了時間よりも早い時間から予約利用室用空調機の能力または運転を抑制する制御を行う。
ここでは、制御部は、予約利用室の利用終了前から事前に予約利用室用空調機の能力または運転を抑制する制御をすることができ、さらに省エネ化を図ることが可能である。
【００１８】
第１４発明の空調制御システムは、第１発明の空調制御システムであって、人感センサをさらに備えている。人感センサは、予約利用室の内部における人の存在を検知する。予約利用室の利用時間中に人感センサが予約利用室の内部の人が居なくなったことを検知したときに、制御部は、居室用空調機の能力または運転の度合いを向上する制御を行う。
ここでは、予約利用室の利用時間中に予約利用室から人がいなくなった直後に、居室用空調機の能力または運転の度合いを向上する制御を行うことができ、居室における快適な空調を早期に提供することが可能である。
【００１９】
第１５発明の空調制御システムは、第１発明の空調制御システムであって、人感センサをさらに備えている。人感センサは、予約利用室の内部における人の存在を検知する。予約利用室の利用時間中に人感センサが予約利用室の内部の人が居なくなったことを検知したときに、制御部は、予約利用室用空調機の能力または運転を抑制する制御を行う。
ここでは、予約利用室の利用時間中に予約利用室から人がいなくなった直後に、予約利用室用空調機の能力または運転を抑制する制御を行うことができ、さらに省エネ化を図ることが可能である。
【００２０】
第１６発明の空調制御方法は、予約利用室予約システムと空調システムとを用いた空調制御方法である。予約利用室予約システムは、予約によって利用可能な予約利用室を予約する。空調システムは、居室用空調機を有する。居室用空調機は、居室に設置されている。居室は、利用者が通常居る。利用者は、予約利用室を利用する。この空調制御方法は、空調システムと予約利用室予約システムとを連動させ、予約利用室の利用時間において、居室用空調機の能力または運転を抑制する制御を行う。
【００２１】
ここでは、空調システムと会議室予約システムとを連動させ、予約利用室の利用時間において、居室用空調機の能力または運転を抑制する制御を行う。これにより、予約利用室の利用時間には、利用者が居ない居室では、居室用空調機が無駄な運転をすることがなくなり、より省エネ化を図ることが可能である。
【発明の効果】
【００２２】
第１発明によれば、予約利用室の利用時間に、利用者が居ない居室では居室用空調機が無駄な運転をすることがなくなり、より省エネ化を図ることができる。
第２発明によれば、予約スケジュール情報および個人特性情報に基づいた第１制御値を用いて、居室用空調機を制御することができる。
第３発明によれば、予約スケジュール情報および個人特性情報に基づいた第２制御値を用いて、さらに予約利用室用空調機を制御することができる。
【００２３】
第４発明によれば、利用者は、容易かつ確実に予約利用室の予約手続きを行うことができる。
第５発明によれば、予約利用室予約情報に基づいて予約スケジュール情報を設定することができる。
第６発明によれば、予約利用室の利用時間帯等の情報を用いて、居室用空調機および予約利用室用空調機を制御することができる。
【００２４】
第７発明によれば、予約スケジュール情報設定部によって設定された予約スケジュール情報を管理することができる。
第８発明によれば、個人特性情報を管理することができる。
第９発明によれば、利用者の温調嗜好等の情報を用いて、居室用空調機および予約利用室用空調機を制御することができる。
【００２５】
第１０発明によれば、予約利用室の利用開始前から事前に居室用空調機の能力または運転を抑制する制御をすることができ、さらに省エネ化を図ることができる。
第１１発明によれば、予約利用室の利用終了直前から居室における快適な空調を提供することができる。
第１２発明によれば、予約利用室の利用開始直前から予約利用室における快適な空調を提供することができる。
【００２６】
第１３発明によれば、予約利用室の利用終了前から事前に予約利用室用空調機の能力または運転を抑制する制御をすることができ、さらに省エネ化を図ることができる。
第１４発明によれば、居室における快適な空調を早期に提供することができる。
第１５発明によれば、予約利用室の利用時間中に予約利用室から人がいなくなった直後に、予約利用室用空調機の能力または運転を抑制する制御を行うことができ、さらに省エネ化を図ることができる。
【００２７】
第１６発明によれば、予約利用室の利用時間に、利用者が居ない居室では居室用空調機が無駄な運転をすることがなくなり、より省エネ化を図ることができる。
【発明を実施するための最良の形態】
【００２８】
つぎに、本発明の実施形態に係る空調制御システムについて、図面を参照しながら詳細に説明する。
＜空調制御システム１の構成＞
図１に示されるように、空調制御システム１は、主要な構成として、会議室予約システムと、空調システムとを備えている。
【００２９】
空調システムは、複数の空調機５１，５２，５３と、空調制御用コントローラ（以下、コントローラという）３と、空調管理装置４と、人感センサ５とを備えている。
会議室予約システムは、パソコン６と、予約スケジュール情報設定部１１と、予約スケジュール情報データベース１２とを備えている。本実施形態では、予約スケジュール情報設定部１１および予約スケジュール情報データベース１２は、空調管理装置４に内蔵されている。
【００３０】
空調管理装置４は、コントローラ３、人感センサ５およびパソコン６とそれぞれインターネットなどの公衆通信網または専用回線を通じて、通信可能に接続されている。
コントローラ３は、複数の空調機５１，５２，５３の運転を制御する。コントローラ３は、利用者Ａの個人別の運転制御データに基づいて、オフィスＯＦの空調機５１，５２および会議室ＭＴの空調機５３の個別制御を行う。
【００３１】
また、コントローラ３は、空調システムと会議室予約システムとを連動させ、会議室ＭＴの利用時間において、オフィスＯＦの空調機５１，５２の能力または運転を抑制する制御を行う。
空調機５１、５２、５３は、オフィスＯＦまたは会議室ＭＴを利用する利用者Ａの個人別に、個人の温調嗜好や年齢等に対応した温度および風の強さ等の条件で個別空調を行う。オフィスＯＦまたは会議室ＭＴを利用する利用者Ａが複数存在する場合には、最も多くの利用者Ａが快適と感じる運転制御値を設定して温度および風の強さ等の条件で個別空調を行う。
【００３２】
空調機５１、５２は、利用者Ａが通常居るオフィスＯＦに設置された空調機であり、本発明の居室用空調機に相当する。空調機５１、５２は、オフィスＯＦの内部空間における空調機５１、５２の周囲のそれぞれの領域に存在する利用者Ａの温調嗜好や年齢等に合わせて個別空調を行う。例えば、図１における空調機５２の周囲の領域に、利用者Ａの座席がオフィスＯＦにある場合、利用者Ａが座席に座っている時間帯（勤務時間内で、かつ、会議室ＭＴへ移動していない時間帯）には、空調機５２は、利用者Ａの温調嗜好や年齢等に合わせて個別空調を行う。
【００３３】
空調機５３は、予約によって利用可能な会議室ＭＴに設置された空調機であり、本発明の予約利用室用空調機に相当する。空調機５３は、会議室ＭＴの内部空間における空調機５３の周囲のそれぞれの領域に存在する利用者Ａの温調嗜好や年齢等に合わせて個別空調を行う。例えば、図１における空調機５３の周囲の領域に、会議における利用者Ａの座席位置が指定されている場合、会議室ＭＴの利用時間帯には、空調機５３は、利用者Ａの温調嗜好や年齢等に合わせて個別空調を行う。
【００３４】
人感センサ５は、会議室ＭＴに人が存在するか否かを検知するセンサである。人感センサ５は、従来公知の赤外線センサ、または超音波センサ等が採用される。
パソコン６は、オフィスＯＦに設置されている。パソコン６は、利用者Ａによって、会議室予約情報が入力される。会議室予約情報は、空調管理装置４の予約スケジュール情報設定部１１に送信される。なお、図１には示されていないが、会議室予約情報は、パソコン６以外の他の入力装置からも入力可能である。
また、パソコン６は、個人特性情報を設定するための個人入力情報も入力可能である。個人入力情報は、会議室ＭＴの予約前に、空調管理装置４の個人特性情報設定部１３に予め送信される。なお、図１には示されていないが、個人入力情報も、パソコン６以外の他の入力装置から入力可能である。
【００３５】
＜空調管理装置４の構成＞
空調管理装置４は、予約スケジュール情報設定部１１、予約スケジュール情報データベース１２、個人特性情報設定部１３、個人特性情報データベース１４、制御値設定部１５とを備えている。
【００３６】
予約スケジュール情報設定部１１は、パソコン６から送信されてきた会議室予約情報から会議室ＭＴの予約スケジュールに関する予約スケジュール情報を設定する。
予約スケジュール情報設定部１１によって生成された予約スケジュール情報は、会議室ＭＴの名称、会議室ＭＴの識別コード、利用者Ａの氏名、利用者Ａの識別コード、会議室ＭＴの利用人数、会議室ＭＴの利用時間帯、および会議室ＭＴにおける利用者Ａの座席位置のうちの少なくとも１つを含む、
予約スケジュール情報データベース１２は、予約スケジュール情報設定部１１によって生成された予約スケジュール情報を記憶する。
【００３７】
個人特性情報設定部１３は、パソコン６から送信されてきた利用者Ａの個人入力情報から利用者Ａの特性に関する個人特性情報を設定する。
個人特性情報は、利用者Ａの温調嗜好（寒い方が好きであるなど、）、利用者Ａの年齢、利用者Ａの性別、および利用者が通常居るオフィスＯＦにおける利用者Ａの座席位置のうちの少なくとも１つを含む。
【００３８】
個人特性情報データベース１４は、個人特性情報設定部１３によって生成された個人特性情報を記憶する。
制御値設定部１５は、予約スケジュール情報データベース１２に記憶された予約スケジュール情報および個人特性情報データベース１４に記憶された個人特性情報に基づいて、オフィスＯＦの空調機５１，５２を制御するための第１制御値を設定する。例えば、第１制御値は、利用者Ａが会議室ＭＴを利用しない時間帯におけるオフィスＯＦの空調機５１，５２の空調制御に関して利用者Ａの温調嗜好および年齢に合うように、設定される。
また、制御値設定部１５は、予約スケジュール情報および個人特性情報に基づいて、会議室ＭＴの空調機５３を制御するための第２制御値をさらに設定する。例えば、第２制御値は、利用者Ａが会議室ＭＴを利用する時間帯における会議室ＭＴの空調機５３の空調制御に関して利用者Ａの温調嗜好および年齢に合うように、設定される。
【００３９】
＜オフィスＯＦにおける空調制御方法の手順＞
つぎに図２のフローチャートおよび図４のオフィスおよび会議室における空調機の運転履歴を時系列に示したグラフを参照しながらオフィスＯＦにおける空調制御方法の手順を説明する。なお、図４において、オフィスＯＦの空調機５１，５２によるオフィス空調は、通常、所定の温度および風量で定常運転に設定されている（図４のＴ１分より前の区間参照）。
【００４０】
図２のフローチャートに示されるように、まず、ステップＳ１において、利用者Ａがパソコン６から会議室ＭＴの予約をする。具体的には、利用者Ａがパソコン６を用いて会議室予約情報を入力したとき、予約スケジュール情報設定部１１が会議室予約情報から会議室ＭＴの予約スケジュール情報を設定する。予約スケジュール情報は、予約スケジュール情報データベース１２に記憶される。
【００４１】
ついで、ステップＳ２において、オフィスＯＦの空調機５１，５２の運転制御値を設定する。具体的には、予約スケジュール情報データベース１２に記憶された予約スケジュール情報および個人特性情報データベース１４に記憶された個人特性情報に基づいて、制御値設定部１５がオフィスＯＦの空調機５１，５２を制御するための第１制御値を設定する。例えば、オフィスＯＦにおける利用者Ａの座席位置が空調機５２に近い場合、会議室ＭＴの利用時間には利用者ＡがオフィスＯＦから不在になるので、第１制御値は、会議室ＭＴの利用時間における空調機５２の能力または運転を抑制するように設定される。
【００４２】
ついで、ステップＳ３において、制御値設定部１５は、運転制御値をコントローラ３へ転送する。このとき、運転制御値とともに会議室ＭＴの利用時間に関する情報もコントローラ３へ転送される。
ついで、ステップＳ４において、コントローラ３が、会議室ＭＴの利用開始時間Ｔｓよりもｔｍ分前（すなわち、時間Ｔ１）になったか否か判定する。Ｙｅｓの場合はステップＳ５に進み、Ｎｏの場合はステップＳ４を繰り返す。ｔｍは、１〜１５分、好ましくは１〜５分程度に設定される。
【００４３】
ついで、ステップＳ５において、コントローラ３が、オフィスＯＦの空調のダウン制御をする。すなわち、コントローラ３は、オフィスＯＦの空調機５１、５２の能力または運転を抑制する制御（例えば、暖房または冷房の能力を下げたり、風量を弱くする制御）を行う。
ついで、ステップＳ６において、コントローラ３は、会議室ＭＴの利用時間（図４のＴｓ〜Ｔｆの時間）には、オフィスＯＦの空調機５１、５２運転を停止するように制御する。これにより、会議中に人がいないオフィスＯＦの空調を無駄に運転することがない。
【００４４】
ついで、ステップＳ７において、コントローラ３が、会議室ＭＴの利用終了時間Ｔｆよりもｔｎ分前（すなわち、時間Ｔ２）になったか否か判定する。Ｙｅｓの場合はステップＳ８に進み、Ｎｏの場合はステップＳ７を繰り返す。ｔｎは、１〜１５分、好ましくは１〜５分程度に設定される。
ついで、ステップＳ８において、コントローラ３が、オフィスＯＦの空調のアップ制御をする。すなわち、コントローラ３は、オフィスＯＦの空調機５１、５２の能力または運転の度合いを向上する制御（例えば、暖房または冷房の能力を上げたり、風量を強くする）を行う。
【００４５】
その後、ステップＳ９において、コントローラ３は、会議室ＭＴの利用時間経過後には、オフィスＯＦの空調機５１、５２を所定の温度および風量で定常運転するように制御する。
なお、会議室ＭＴの利用時間Ｔｓ〜Ｔｆにおいて、会議が終了予定時間よりも早く終了した場合には、会議室ＭＴの人感センサ５が会議室ＭＴの内部の人が居なくなったことを検知する。このとき、コントローラ３は、オフィスＯＦの空調機５１、５２の能力または運転の度合いを向上する制御を行い、定常運転に早期に復帰するように制御する。
【００４６】
＜会議室ＭＴにおける空調制御方法の手順＞
上述のオフィスＯＦにおける空調制御と同様に、図３のフローチャートおよび図４のグラフを参照しながら、会議室ＭＴにおける空調制御方法の手順を説明する。なお、図４において、会議室ＭＴの空調機５３による会議室空調は、会議がないときには、運転を停止するように設定されている。
図３のフローチャートに示されるように、まず、ステップＳ２１において、図２のステップＳ１と同様に、利用者Ａがパソコン６から会議室ＭＴの予約をする。
ついで、ステップＳ２２において、会議室ＭＴの空調機５３の運転制御値を設定する。具体的には、予約スケジュール情報データベース１２に記憶された予約スケジュール情報および個人特性情報データベース１４に記憶された個人特性情報に基づいて、制御値設定部１５が会議室ＭＴの空調機５３を制御するための第２制御値を設定する。例えば、会議室ＭＴにおける利用者Ａの座席位置が空調機５３に近い場合、会議室ＭＴの利用時間には、第２制御値は、会議室ＭＴの利用時間における空調機５２の能力または運転の度合いを向上するように設定される。
【００４７】
ついで、ステップＳ２３において、制御値設定部１５は、運転制御値をコントローラ３へ転送する。このとき、運転制御値とともに会議室ＭＴの利用時間に関する情報もコントローラ３へ転送される。
ついで、ステップＳ２４において、コントローラ３が、会議室ＭＴの利用開始時間Ｔｓよりもｔｍ分前（すなわち、時間Ｔ１）になったか否か判定する。Ｙｅｓの場合はステップＳ２５に進み、Ｎｏの場合はステップＳ２４を繰り返す。ｔｍは、１〜１５分、好ましくは１〜５分程度に設定される。
【００４８】
ついで、ステップＳ２５において、コントローラ３が、会議室ＭＴの空調のアップ制御をする。すなわち、コントローラ３は、会議室ＭＴの空調機５３の能力または運転の度合いを向上する制御（例えば、暖房または冷房の能力を上げたり、風量を強くする制御）を行う。
ついで、ステップＳ２６において、コントローラ３は、会議室ＭＴの利用時間（図４のＴｓ〜Ｔｆの時間）には、会議室ＭＴの空調機５３を所定の温度および風量で定常運転するように制御する。
【００４９】
ついで、ステップＳ２７において、コントローラ３が、会議室ＭＴの利用終了時間Ｔｆよりもｔｎ分前（すなわち、時間Ｔ２）になったか否か判定する。Ｙｅｓの場合はステップＳ２８に進み、Ｎｏの場合はステップＳ２７を繰り返す。ｔｎは、１〜１５分、好ましくは１〜５分程度に設定される。
ついで、ステップＳ２８において、コントローラ３が、会議室ＭＴの空調のダウン制御をする。すなわち、コントローラ３は、会議室ＭＴの空調機５３の能力または運転を抑制する制御（例えば、暖房または冷房の能力を下げたり、風量を弱くする制御）を行う。
その後、ステップＳ２９において、コントローラ３は、会議室ＭＴの利用時間経過後には、会議室ＭＴの空調機５３の運転を停止するように制御する。
なお、会議室ＭＴの利用時間において、会議が終了予定時間よりも早く終了した場合には、会議室ＭＴの人感センサ５が会議室ＭＴの内部の人が居なくなったことを検知する。このとき、コントローラ３は、会議室ＭＴの空調機５３の能力または運転を抑制する制御を行い、早期に運転を停止するように制御する。
【００５０】
＜本実施形態の特徴＞
（１）
本実施形態の空調制御システム１では、コントローラ３が、空調システムと会議室予約システムとを連動させ、会議室ＭＴの利用時間において、オフィスＯＦの空調機５１、５２の能力または運転を抑制する制御を行う。これにより、会議室ＭＴの利用時間には、利用者Ａが居ないオフィスＯＦでは、空調機５１、５２が無駄な運転をすることがなくなり、より省エネ化を図ることが可能である。
（２）
本実施形態の空調制御システム１は、会議室ＭＴの予約スケジュールに関する予約スケジュール情報および利用者Ａの特性に関する個人特性情報に基づいて、空調機５１、５２を制御するための第１制御値を設定する制御値設定部１５を備えている。これにより、コントローラ３は、予約スケジュール情報および個人特性情報に基づいた第１制御値を用いて、オフィスＯＦの空調機５１、５２を制御することが可能である。
（３）
本実施形態の空調制御システム１では、制御値設定部１５は、予約スケジュール情報および個人特性情報に基づいて、会議室ＭＴの空調機５３を制御するための第２制御値をさらに設定する。これにより、コントローラ３は、予約スケジュール情報および個人特性情報に基づいた第２制御値を用いて、さらに会議室ＭＴの空調機５３を制御することが可能である。
（４）
本実施形態の空調制御システム１は、会議室ＭＴの予約に関する会議室予約情報を入力するパソコン６を備えているので、利用者Ａは、容易かつ確実に会議室ＭＴの予約手続きを行うことができる。
（５）
本実施形態の空調制御システム１は、会議室予約情報から予約スケジュール情報を設定する予約スケジュール情報設定部１１をさらに備えているので、会議室予約情報に基づいて予約スケジュール情報を設定することが可能である。
（６）
本実施形態の空調制御システム１では、予約スケジュール情報は、会議室ＭＴの名称、会議室ＭＴの識別コード、利用者の氏名、利用者Ａの識別コード、会議室ＭＴの利用人数、会議室ＭＴの利用時間帯、および会議室ＭＴにおける利用者Ａの座席位置のうちの少なくとも１つを含むので、会議室ＭＴの利用時間帯等の情報を用いて、オフィスＯＦの空調機５１，５２および会議室ＭＴの空調機５３を制御することが可能である。
（７）
本実施形態の空調制御システム１は、予約スケジュール情報を記憶する予約スケジュール情報データベース１２をさらに備えているので、予約スケジュール情報設定部１１によって設定された予約スケジュール情報を管理することが可能である。
（８）
本実施形態の空調制御システム１は、個人特性情報を記憶する個人特性情報データベース１４をさらに備えているので、個人特性情報設定部１３によって設定された個人特性情報を管理することが可能である。
（９）
本実施形態の空調制御システム１では、個人特性情報は、利用者Ａの温調嗜好、利用者Ａの年齢、利用者Ａの性別、およびオフィスＯＦにおける利用者Ａの座席位置のうちの少なくとも１つを含むので、利用者Ａの温調嗜好等の情報を用いて、オフィスＯＦの空調機５１，５２および会議室ＭＴの空調機５３を制御することが可能である。
【００５１】
また、個人特性情報がオフィスＯＦにおける利用者Ａの座席位置を含んでいるので、利用者ＡのオフィスＯＦにおける座席位置などの個人特性情報を利用することにより、会議室ＭＴの利用時間中のオフィスＯＦにおける利用者Ａがいない領域を検出し、その領域の空調を担当する空調機５２を個別に能力制御または運転制御することにより、さらなる省エネ化を行うことが可能になる。
（１０）
本実施形態の空調制御システム１では、コントローラ３は、会議室ＭＴの利用開始時間よりも早い時間から空調機５１，５２の能力または運転を抑制する制御を行うので、会議開始前から事前にオフィス空調のダウン制御をすることができ、さらに省エネ化を図ることが可能である。
（１１）
本実施形態の空調制御システム１では、コントローラ３は、会議室ＭＴの利用終了時間よりも早い時間からオフィスＯＦの空調機５１，５２の能力または運転の度合いを向上する制御を行うので、会議終了前から事前にオフィス空調のアップ制御をすることができ、会議終了直前から利用者ＡへオフィスＯＦにおける快適な空調を提供することが可能である。
（１２）
本実施形態の空調制御システム１では、コントローラ３は、会議室ＭＴの利用開始時間よりも早い時間から会議室ＭＴ用の空調機５３の能力または運転の度合いを向上する制御を行うので、会議開始前から事前に会議室空調のアップ制御をすることができ、会議開始時間から利用者Ａへ会議室ＭＴにおける快適な空調を提供することが可能である。
（１３）
本実施形態の空調制御システム１では、コントローラ３は、会議室ＭＴの利用終了時間よりも早い時間から会議室ＭＴ用の空調機５３の能力または運転を抑制する制御を行うので、会議終了前から事前に会議室空調のダウン制御をすることができ、さらに省エネ化を図ることが可能である。
（１４）
本実施形態の空調制御システム１は、会議室ＭＴの内部における人の存在を検知する人感センサ５をさらに備えており、会議室ＭＴの利用時間中に人感センサ５が会議室ＭＴの内部の人が居なくなったことを検知したときに、コントローラ３が空調機５１、５２の能力または運転の度合いを向上する制御を行う。したがって、会議が早く終了するなどして会議中に会議室ＭＴから人がいなくなった直後に、オフィス空調のアップ制御をすることができ、利用者ＡへオフィスＯＦにおける快適な空調を早期に提供することが可能である。
（１５）
本実施形態の空調制御システム１は、会議室ＭＴの内部における人の存在を検知する人感センサ５をさらに備えており、会議室ＭＴの利用時間中に人感センサ５が会議室ＭＴの内部の人が居なくなったことを検知したときに、コントローラ３が、会議室ＭＴ用の空調機５３の能力または運転を抑制する制御を行う。したがって、会議が早く終了するなどして会議中に会議室ＭＴから人がいなくなった直後に、会議室空調のダウン制御をすることができ、さらに省エネ化を図ることが可能である。
【００５２】
＜実施形態の変形例＞
（Ａ）
本実施形態では、予約利用室として、会議室ＭＴを例にあげて説明したが、本発明はこれに限定されるものではない。すなわち、予約によって利用可能な室または空間であれば、種々の予約利用室に本発明の空調制御システムを適用することができる。例えば、ホール等の室またはスペースを予約して利用する場合にも本発明を適用することができる。
（Ｂ）
本実施形態では、空調制御用のコントローラ３が空調システムと会議室予約システムとを連動させ、会議室ＭＴの利用時間において、オフィスＯＦの空調機５１，５２の能力または運転を抑制する制御を行っているが、本発明はこれに限定されるものではない。本発明の変形例として、空調制御用のコントローラ３とは別に設けられた制御部またはコントローラによって、空調システムと会議室予約システムとを連動させ、会議室ＭＴの利用時間において、オフィスＯＦの空調機５１，５２の能力または運転を抑制する制御を行ってもよい。
（Ｃ）
本実施形態では、会議室ＭＴにおける利用者Ａの座席位置が予約スケジュール情報に含まれているが、本発明はこれに限定されるものではない。会議室ＭＴにおける利用者Ａの座席位置は、予約スケジュール情報データベース１２とは別のデータベースで管理してもよく、この場合、予約スケジュール情報とは別に、会議室ＭＴにおける利用者Ａの座席位置に関する情報を管理および更新することが可能である。
（Ｄ）
本実施形態では、オフィスＯＦにおける利用者Ａの座席位置が個人特性情報に含まれているが、本発明はこれに限定されるものではない。オフィスＯＦにおける利用者Ａの座席位置は、個人特性情報データベース１４とは別のデータベースで管理してもよく、この場合、個人特性情報とは別に、オフィスＯＦにおける利用者Ａの座席位置に関する情報を管理および更新することが可能である。
（Ｅ）
本実施形態では、予約スケジュール情報設定部１１および予約スケジュール情報データベース１２が空調管理装置４に内蔵されているが、本発明はこれに限定されるものではなく、予約スケジュール情報設定部１１および予約スケジュール情報データベース１２を空調管理装置４と別個に設けてもよい。
【図面の簡単な説明】
【００５３】
【図１】本発明の空調制御システムの実施形態を示す構成図。
【図２】図１の空調制御システムのオフィスにおける空調制御方法の手順を示すフローチャート。
【図３】図１の空調制御システムの会議室における空調制御方法の手順を示すフローチャート。
【図４】図１のオフィスおよび会議室における空調機の運転履歴を時系列に示したグラフ。
【符号の説明】
【００５４】
１  空調制御システム
３  コントローラ
４  空調管理装置
５  人感センサ
６  パソコン
１１  予約スケジュール情報設定部
１２  予約スケジュール情報データベース
１３  個人特性情報設定部
１４  個人特性情報データベース
１５  制御値設定部
【図１】
2006349291.tif 000003
【図２】
2006349291.tif 000004
【図３】
2006349291.tif 000005
【図４】
2006349291.tif 000006